(57)【要約】【課題】カーテン生地に対する昇降コードの垂下位置を調整できるようにした昇降式カーテンの昇降コード位置調整装置を提供する。【解決手段】昇降コード位置調整装置１は、操作コードの操作に応じてカーテン生地が昇降する昇降式カーテンに適用され、昇降式カーテンのヘッドレール２の下面に設置される。昇降コード位置調整装置１は、操作コード側からの昇降コード３Ａをカーテン生地に沿って垂下させる位置決め部材２０と、ヘッドレール２の長手方向に対して複数の収納スペースが枠体に設けられており、複数の収納スペースの１つに位置決め部材２０が嵌入される本体部１０とを備える。位置決め部材２０を嵌入する収納スペースを変更すれば、昇降コード３Ａの垂下位置を変えることができる。【選択図】図１
2010284388.tif 000002
【特許請求の範囲】
【請求項１】
操作コードの操作に従ってカーテン生地が昇降する昇降式カーテンのヘッドレールの下面に配置される本体部と、
前記本体部に着脱可能に取り付けられ、前記昇降コードを前記カーテン生地に沿って垂下させる位置決め部材と、
を備え、
前記本体部には前記位置決め部材を着脱可能に取り付けるための収納可能領域が前記ヘッドレールの長手方向に沿って形成され、前記位置決め部材の取り付け位置を前記収納可能領域の範囲内で調整可能としたことを特徴とする昇降式カーテンの昇降コード位置調整装置。
【請求項２】
請求項１に記載の昇降式カーテンの昇降コード位置調整装置において、
前記位置決め部は、
前記ヘッドレールの内部を通って水平方向に案内される前記昇降コードを前記カーテン生地に沿って垂直方向に垂下するように案内する方向変換軸と、
前記方向変換軸の両側に設けられ、前記本体部に挿入される一対の嵌入片と、
を備えてなることを特徴とする昇降式カーテンの昇降コード位置調整装置。
【請求項３】
請求項１に記載の昇降式カーテンの昇降コード位置調整装置において、
前記本体部は、
前記収納可能領域を仕切部によって前記ヘッドレールの長手方向に連続する複数の収納スペースに区分する枠体と、
前記枠体に設けられ、前記操作コード側からの昇降コードを前記位置決め部材へ導くガイド軸と、
を備えてなることを特徴とする昇降式カーテンの昇降コード位置調整装置。
【請求項４】
請求項３に記載の昇降式カーテンの昇降コード位置調整装置において、
前記収納スペースは、嵌入された前記位置決め部材を係止するロック部を備えてなることを特徴とする昇降式カーテンの昇降コード位置調整装置。
【発明の詳細な説明】
【技術分野】
【０００１】
本発明は、ローマンシェード等の昇降式カーテンに設けられる昇降式カーテンの昇降コード位置調整装置に関し、さらに詳しくは、ローマンシェード等の昇降式カーテンに設けられた昇降コードの垂下位置を規制する昇降式カーテンの昇降コード位置調整装置に関する。
【背景技術】
【０００２】
昇降式カーテンの１つとして、例えばローマンシェードがある。このローマンシェードは、一般に図６に示すような構成を有している。図示されたローマンシェード２００は、図示しない窓枠の上部等にブラケット２０１Ａ，２０１Ｂによって取り付けられると共に、カーテン生地２０６を吊り下げるヘッドレール２０２と、ヘッドレール２０２からコードガイド２１０Ａ，２１０Ｂを介して垂下された一対の昇降コード２０３Ａ，２０３Ｂと、昇降コード２０３Ａ，２０３Ｂのそれぞれの下端に取り付けられたコードアジャスタ２０４Ａ，２０４Ｂ及びウェイト２０５Ａ，２０５Ｂと、上端がヘッドレール２０２に固定されると共に、昇降コード２０３Ａ，２０３Ｂに止められているカーテン生地２０６の下端に取り付けられたウェイトバー２０７と、ヘッドレール２０２の一方の端部から取り出された昇降コード２０３Ａ，２０３Ｂを所定の位置で束ねるコード止め２０８と、上端がコード止め２０８に取り付けられると共に下端がウェイトバー２０７の一端に取り付けられた操作コード２０９と、ヘッドレール２０２に設けられて操作コード２０９のロック／アンロックを制御する昇降機構（ストッパ装置）２１１と、を備えて構成されている。
【０００３】
ウェイト２０５Ａ，２０５Ｂは、昇降コード２０３Ａ，２０３Ｂに張りを持たせるためのものである。この昇降コード２０３Ａ，２０３Ｂの長さは、コードアジャスタ２０４Ａ，２０４Ｂによって調整でき、この調整を最適にすることにより、カーテン生地２０６に弛み等が生じるのを防止できる。
【０００４】
コードガイド２１０Ａ，２１０Ｂは、昇降コード２０３Ａ，２０３Ｂの上端に位置するようにしてヘッドレール２０２に取り付けられており、昇降コード２０３Ａ，２０３Ｂの走行を安定にさせると共に、直角方向に向きを変換する機能を有している。このコードガイド２１０Ａ，２１０Ｂは、その一例を、例えば特許文献１に見ることができる。
【０００５】
図６に示すローマンシェード２００は、使用者が操作コード２０９を下方向へ引くと、昇降機構２１１が作動して昇降コード２０３Ａ，２０３Ｂに対するロックが解除される。そのまま操作コード２０９を引き続けると、昇降コード２０３Ａ，２０３Ｂ及びウェイト２０５Ａ，２０５Ｂが共に上昇し、これに伴って、カーテン生地２０６及びウェイトバー２０７は水平を保ったまま引き上げられる。カーテン生地２０６及びウェイトバー２０７が所望の高さまで引き上げられた時点で操作コード２０９を引く手を少し緩めると昇降機構２１１が作動し、昇降コード２０３Ａ，２０３Ｂの上昇がロックされ、カーテン生地２０６がその位置で停止する。
【０００６】
また、使用者が操作コード２０９を再度下方向へ引くと、昇降コード２０３Ａ，２０３Ｂに対するロックが再び解除される。このとき使用者が操作コード２０９を持つ手を緩めるとウェイトバー２０７が自重によって降下するためカーテン生地２０６の下端が降下する。カーテン生地２０６及びウェイトバー２０７が所望の位置まで下げられた時点で操作コード２０９を下方向へ少し引くと昇降機構２１１が作動し、昇降コード２０３Ａ，２０３Ｂの下降がロックされ、カーテン生地２０６が停止する。
【先行技術文献】
【特許文献】
【０００７】
【特許文献１】特開平１１−２０６５５４号公報
【発明の概要】
【発明が解決しようとする課題】
【０００８】
近年では、デザイン性や機能性の点から幅の狭い窓が採用されており、このような窓にも上述したような昇降式カーテンを取り付ける場合には当然幅の狭い昇降カーテンを取り付けることになる。
しかし、ヘッドレール２０２の端部側には昇降機構２１１が内蔵されているため、昇降機構２１１を避けて昇降コード２０３Ａを位置させようとするとカーテン生地２０６の幅方向に対して内側に位置させざるを得ない。さらに、昇降コード２０３Ｂを昇降コード２０３Ａと対称に位置させようとすると昇降コード２０３Ｂもカーテン生地２０６の幅方向に対して内側に位置させざるを得ない。従って、昇降式カーテンの幅が狭くなると昇降コード２０３Ａ，２０３Ｂをそれぞれカーテン生地２０６の内側へ持っていかざるを得ない構成となるため、図７に示すように、昇降コード２０３Ａ，２０３Ｂとカーテン生地２０６の両サイドとの間の距離Ｌが長くなり、両サイドの平面性が保たれ難くなる結果、弛み等がカーテン生地２０６の両側に生じ易くなるという問題があった。
【０００９】
そこで、本発明の目的は、ヘッドレールに昇降機構が内蔵されている場合であってもカーテン生地に対する昇降コードの垂下位置を昇降機構に干渉されることなくカーテンの両端部側へ位置させるように調整可能とした昇降式カーテンの昇降コード位置調整装置を提供することにある。
【課題を解決するための手段】
【００１０】
上記目的を達成するため、請求項１に記載の本発明は、操作コードの操作に従ってカーテン生地が昇降する昇降式カーテンのヘッドレールの下面に配置される本体部と、本体部に着脱可能に取り付けられ、昇降コードを前記カーテン生地に沿って垂下させる位置決め部材とを備え、本体部には位置決め部材を着脱可能に取り付けるための収納可能領域がヘッドレールの長手方向に沿って形成され、位置決め部材の取り付け位置を収納可能領域の範囲内で調整可能としたことを特徴とする昇降式カーテンの昇降コード位置調整装置を提供する。
【００１１】
上記目的を達成するため、請求項２に記載の本発明は、請求項１に記載の昇降式カーテンの昇降コード位置調整装置において、位置決め部は、ヘッドレールの内部を通って水平方向に案内される昇降コードをカーテン生地に沿って垂直方向に垂下するように案内する方向変換軸と、方向変換軸の両側に設けられ、本体部に挿入される一対の嵌入片とを備えてなることを特徴とする。
【００１２】
上記目的を達成するため、請求項３に記載の本発明は、請求項１に記載の昇降式カーテンの昇降コード位置調整装置において、本体部は、収納可能領域を仕切部によってヘッドレールの長手方向に連続する複数の収納スペースに区分する枠体と、枠体に設けられ、操作コード側からの昇降コードを位置決め部材へ導くガイド軸とを備えてなることを特徴とする。
【００１３】
上記目的を達成するため、請求項４に記載の本発明は、請求項３に記載の昇降式カーテンの昇降コード位置調整装置において、収納スペースは、嵌入された位置決め部材を係止するロック部を備えてなることを特徴とする。
【発明の効果】
【００１４】
本発明の昇降式カーテンの昇降コード位置調整装置によれば、カーテン生地に対する昇降コードの垂下位置を調整でき、これによってカーテン幅を狭くしても昇降機構の存在によって昇降コードがカーテンの中央へ位置させられることもなく昇降コードをカーテンの両端部側近傍に位置させることができるという効果があり、これによりカーテンの両側に弛み等を生じないようにすることが可能となる。
【図面の簡単な説明】
【００１５】
【図１】本発明の実施の形態に係る昇降式カーテンの昇降コード位置調整装置を示す斜視図である。
【図２】図１に示す昇降コード位置調整装置の斜視図である。
【図３】図１に示す昇降コード位置調整装置の裏面図である。
【図４】図２に示す昇降コード位置調整装置の分解斜視図である。
【図５】図１に示す昇降コード位置調整装置において、位置決め部材を他の場所にセットした状態を示す斜視図である。
【図６】昇降式カーテンの一例を示す正面図である。
【図７】図６に示すカーテンにおいて、その幅を狭くした昇降式カーテンを示す正面図である。
【発明を実施するための形態】
【００１６】
図１は、本発明の実施の形態に係る昇降式カーテンの昇降コード位置調整装置を示す斜視図である。昇降式カーテンの昇降コード位置調整装置（以下、昇降コード位置調整装置という）１は、図１に示すように、ヘッドレール２に取り付けられる。昇降コード位置調整装置１は、ヘッドレール２の両側、中間等に２つ以上が設けられているが、ここでは端部の１つのみを示している。ヘッドレール２の一端には、コード止め及び操作コードが取り付けられた昇降コード３Ａ（昇降コード位置調整装置１用），３Ｂ（他の昇降コード位置調整装置用）が引き入れられている。昇降コード３Ａ，３Ｂは、ヘッドレール２の内部から昇降コード位置調整装置１側へ引き出される。ヘッドレール２は、昇降コード３Ａ，３Ｂのロック／アンロックを行う昇降機構５を一端側に内蔵している。
【００１７】
（昇降コード位置調整装置の構成）
昇降コード位置調整装置１は、本体部１０と、この本体部１０に設けられた３カ所の収納スペースのうちのいずれか１つに嵌入された位置決め部材２０とを備えて構成されている。
【００１８】
図２は図１に示す昇降コード位置調整装置１の平面図であり、（ａ）は本体部１０に位置決め部材２０を装着した状態を示す平面図、（ｂ）は本体部１０から位置決め部材２０を取り外した状態を示す平面図である。また、図３は図１に示す昇降コード位置調整装置１の裏面図、図４は図２に示す昇降コード位置調整装置１の分解斜視図である。
【００１９】
本体部１０は、図２及び図３に示すように、全体が船形を成し、内側に開口１５を有する枠体１００を主体に構成されている。本体部１０の左側の丸みを有する部分には、昇降コード３Ａを昇降コード位置調整装置１へ導くためのガイド軸１１が設けられている。
【００２０】
また、本体部１０は、図２〜図４に示すように、位置決め部材２０の嵌入位置を区分して複数（ここでは３つ）の収納スペースを確保するための角柱状の仕切部１２が、枠体１００の内壁面に４つ（各片側に２つ）設けられている。ここで、位置決め部材２０が取り付け可能な範囲を収納可能領域という。仕切部１２によって区分される３つの収納スペース（収納領域）には、その収納スペースに嵌入された位置決め部材２０が簡単に抜け出ないようにするロック部１３が全体で６つ（各片側に３つ）設けられている。更に、枠体１００の裏面には、上記収納スペースに嵌入した位置決め部材２０が反対側（下側）から抜け落ちないように、２つの帯状のストッパ１４が設けられている（図３参照）。
【００２１】
位置決め部材２０は、図３に示すように、全体の形状が略Ｕ字形を成している。この位置決め部材２０は、図４に示すように、ロック部１３に嵌合するロック部２１を有すると共に、図４における左側方向から見てＬ字形をした一対の嵌入片２２Ａ，２２Ｂと、この嵌入片２２Ａ，２２Ｂを支持する一対の支持板２３Ａ，２３Ｂと、支持板２３Ａと支持板２３Ｂとを連結すると共に、ガイド軸１１によって案内される昇降コード３Ａをカーテン生地に沿うように垂下させる方向変換軸２４とを備えている。
【００２２】
（昇降コード位置調整装置の使用方法）
次に、昇降コード位置調整装置１の使用方法を説明する。まず、使用者は、図示しないブラケットを介してヘッドレール２を窓枠等の所望の場所に取り付ける。次に、カーテン生地をヘッドレール２に取り付ける。更に、本体部１０の仕切部１２のロック部１３の１つに位置決め部材２０の嵌入片２２Ａ，２２Ｂを合致させ、そのまま本体部１０に挿入し、ロック部１３とロック部２１とを嵌合させて位置決め部材２０の取り付けを完了する。
【００２３】
次に、使用者は、図１に示すように、ヘッドレール２の昇降コード３Ａが引き出されている位置に昇降コード位置調整装置１を仮に位置決めし、本体部１０のガイド軸１１から位置決め部材２０の方向変換軸２４を経由するようにして昇降コード３Ａを通し、昇降コード３Ａが正しい位置に垂下するか否かを確認する。昇降コード３Ａの位置が適正であれば、図１に示すように、ねじ４によって昇降コード位置調整装置１をヘッドレール２に固定する。以上により、昇降コード位置調整装置１の取り付けが完了する。
【００２４】
上記したように昇降コード位置調整装置１を仮に位置決めしたところ、昇降コード３Ａの位置が合っておらず、例えばヘッドレール２の端部側にもっと寄せる必要があったとする。この場合、本体部１０から位置決め部材２０を抜き取り、位置決め部材２０を直前にセットした収納スペースよりも図４に示す右側に位置する収納スペースへ挿入し、昇降コード位置調整装置１の組み直しを実施する。このようにして組み直した昇降コード位置調整装置１をヘッドレール２に再度位置決めし、昇降コード３Ａの取り付を行う。ついで、図５に示すように、ねじ４によって昇降コード位置調整装置１をヘッドレール２に固定する。以上により、昇降コード位置調整装置１のヘッドレール２への取り付けが完了する。
【００２５】
［他の実施の形態］
なお、本発明は、上記実施の形態に限定されず、本発明の技術思想を逸脱あるいは変更しない範囲内で種々な変形が可能である。例えば、仕切部１２による収納スペースは３つとしたが、収納スペースは少なくとも２つ以上になるように各複数の仕切部１２及びロック部１３を設けることができる。
【００２６】
また、上記実施の形態においては、本体部１０の３カ所で位置決め部材２０を調整する構成としたが、ロック部１３，２１及び仕切部１２を除去して位置決め部材２０が連続的に水平移動できる構成にし、位置決め部材２０をねじ止め等により任意の位置で固定するようにしてもよい。
【符号の説明】
【００２７】
１      昇降コード位置調整装置
２      ヘッドレール
３Ａ    昇降コード
３Ｂ    昇降コード
４      ねじ
５      昇降機構
１０    本体部
１１    ガイド軸
１２    仕切部
１３    ロック部
１４    ストッパ
１５    開口
２０    位置決め部材
２１    ロック部
２２Ａ  嵌入片
２２Ｂ  嵌入片
２３Ａ  支持板
２３Ｂ  支持板
２４    方向変換軸
１００  枠体
【図１】
2010284388.tif 000003
【図２】
2010284388.tif 000004
【図３】
2010284388.tif 000005
【図４】
2010284388.tif 000006
【図５】
2010284388.tif 000007
【図６】
2010284388.tif 000008
【図７】
2010284388.tif 000009